(57)【要約】本発明は、ＳＩＰベースメッセージサービスでのグループ通知方法及びＰＴクライアント装置に関し、前記方法は、特定ＰＴグループへのグループ通知メッセージ送信要求を要求ＰＴクライアントからＰＴサーバが受信する段階と、前記特定ＰＴグループが制限チャットグループであるか、又は、事前配置グループであるかを前記ＰＴサーバが判断する段階と、前記特定ＰＴグループに関するＰＴグループ文書に基づいて前記要求ＰＴクライアントのグループ通知送信が許容されているか否かを前記ＰＴサーバが判断する段階と、前記判断段階の結果に基づいて前記特定ＰＴグループの少なくとも１つのメンバーに前記グループ通知メッセージを前記ＰＴサーバが選択的に送信する段階とを含む。
2009538586.tif 000002
【特許請求の範囲】
【請求項１】
特定ＰＴグループに対するグループ通知メッセージ送信要求を要求ＰＴクライアントからＰＴサーバが受信する段階と、
前記特定ＰＴグループが制限チャットグループであるか又は事前配置グループであるかを前記ＰＴサーバが判断する段階と、
前記特定ＰＴグループに関するＰＴグループ文書に基づいて前記要求ＰＴクライアントのグループ通知の送信が許容されているか否かを前記ＰＴサーバが判断する段階と、
前記２つの判断段階の結果に基づいて前記特定ＰＴグループの少なくとも１つのメンバーに前記グループ通知メッセージを前記ＰＴサーバが選択的に送信する段階と
を含むことを特徴とするＰＴ（Ｐｕｓｈ−Ｔｏ）グループ通知制御方法。
【請求項２】
前記選択的に送信する段階で、
前記特定ＰＴグループが制限チャットグループ又は事前配置グループであり、前記ＰＴグループ文書に基づいて前記要求ＰＴクライアントがグループ通知を送信するように許容されたと前記ＰＴサーバが判断する場合、前記ＰＴサーバは、前記特定ＰＴグループの少なくとも１つのメンバーに前記グループ通知メッセージを送信することを特徴とする請求項１に記載のＰＴ（Ｐｕｓｈ−Ｔｏ）グループ通知制御方法。
【請求項３】
前記選択的に送信する段階で、
前記特定ＰＴグループが制限チャットグループ又は事前配置グループでないと、又は、前記ＰＴグループ文書に基づいて前記要求ＰＴクライアントがグループ通知を送信するように許容されていないと前記ＰＴサーバが判断する場合、前記ＰＴサーバは、前記特定ＰＴグループの少なくとも１つのメンバーに前記グループ通知メッセージを送信しないことを特徴とする請求項１に記載のＰＴ（Ｐｕｓｈ−Ｔｏ）グループ通知制御方法。
【請求項４】
前記ＰＴグループ文書に基づいて前記要求ＰＴクライアントのグループ通知の送信が許容されているか否かを判断する段階は、
ＸＤＭ（ＸＭＬ  Ｄａｔａｂａｓｅ  Ｍａｎａｇｅｍｅｎｔ）サーバから前記ＰＴグループ文書を前記ＰＴサーバが取得する段階を含むことを特徴とする請求項１に記載のＰＴ（Ｐｕｓｈ−Ｔｏ）グループ通知制御方法。
【請求項５】
前記ＰＴグループ文書に基づいて前記要求ＰＴクライアントのグループ通知の送信が許容されているか否かを判断する段階は、
（ａ）前記要求ＰＴクライアントが前記ＰＴグループ文書内の特定＜ｃｏｎｄｉｔｉｏｎｓ＞エレメントの下で識別されるか否かを判断する段階と、
（ｂ）前記ＰＴグループ文書内の特定＜ｃｏｎｄｉｔｉｏｎｓ＞エレメントに関する＜ａｃｔｉｏｎｓ＞エレメントが、指定動作が許容されることを示すか否かを判断する段階と、
（ｃ）前記段階（ａ）及び（ｂ）の結果に基づいて前記要求ＰＴクライアントが前記特定ＰＴグループの少なくとも１つのメンバーに前記グループ通知を送信するように許容されたと判断する段階とを含むことを特徴とする請求項１に記載のＰＴ（Ｐｕｓｈ−Ｔｏ）グループ通知制御方法。
【請求項６】
前記＜ａｃｔｉｏｎｓ＞エレメントは、パラメータ＜ａｌｌｏｗ−ｇｒｏｕｐ−ａｄｖｅｒｔｉｓｅｍｅｎｔ−ｓｅｎｄｉｎｇ＞を含むことを特徴とする請求項５に記載のＰＴ（Ｐｕｓｈ−Ｔｏ）グループ通知制御方法。
【請求項７】
前記パラメータ＜ａｌｌｏｗ−ｇｒｏｕｐ−ａｄｖｅｒｔｉｓｅｍｅｎｔ−ｓｅｎｄｉｎｇ＞の値が「偽」である場合、前記段階（ｂ）は、前記グループ通知を送信する指定動作が禁止されたと判断することを特徴とする請求項６に記載のＰＴ（Ｐｕｓｈ−Ｔｏ）グループ通知制御方法。
【請求項８】
前記パラメータ＜ａｌｌｏｗ−ｇｒｏｕｐ−ａｄｖｅｒｔｉｓｅｍｅｎｔ−ｓｅｎｄｉｎｇ＞の値が「真」である場合、前記段階（ｂ）は、前記グループ通知を送信する指定動作が許容されたと判断することを特徴とする請求項６に記載のＰＴ（Ｐｕｓｈ−Ｔｏ）グループ通知制御方法。
【請求項９】
前記要求ＰＴクライアントが前記特定＜ｃｏｎｄｉｔｉｏｎｓ＞エレメントの下で識別されたと前記段階（ａ）で判断され、前記＜ａｃｔｉｏｎｓ＞エレメントが前記特定動作が許容されたことを示すと前記段階（ｂ）で判断される場合、前記段階（ｃ）は、前記要求ＰＴクライアントが前記特定ＰＴグループの少なくとも１つのメンバーに前記グループ通知を送信するように許容されたと判断されることを特徴とする請求項５に記載のＰＴ（Ｐｕｓｈ−Ｔｏ）グループ通知制御方法。
【請求項１０】
前記要求ＰＴクライアントが前記特定＜ｃｏｎｄｉｔｉｏｎｓ＞エレメントの下で識別されないと前記段階（ａ）で判断される場合、又は、前記＜ａｃｔｉｏｎｓ＞エレメントが前記特定動作が許容されていないことを示すと前記段階（ｂ）で判断される場合、前記段階（ｃ）は、前記要求ＰＴクライアントが前記特定ＰＴグループの少なくとも１つのメンバーに前記グループ通知を送信するように許容されていないと判断されることを特徴とする請求項５に記載のＰＴ（Ｐｕｓｈ−Ｔｏ）グループ通知制御方法。
【請求項１１】
前記グループ通知メッセージは、
ＳＩＰ（Ｓｅｓｓｉｏｎ  Ｉｎｉｔｉａｔｉｏｎ  Ｐｒｏｔｏｃｏｌ）  ＭＥＳＳＡＧＥであることを特徴とする請求項１に記載のＰＴ（Ｐｕｓｈ−Ｔｏ）グループ通知制御方法。
【請求項１２】
ＰＴグループへのグループ通知が許容できる条件を識別するグループ通知規則情報を含むＰＴグループ文書を前記ＰＴグループの生成者からＸＤＭ（ＸＭＬ  Ｄａｔａｂａｓｅ  Ｍａｎａｇｅｍｅｎｔ）サーバが受信する段階と、
前記生成者の認証を行う段階と、
前記生成者が認証された場合、前記受信されたＰＴグループに関するＰＴグループ文書を前記ＸＤＭサーバが保存する段階とを含み、
ＰＴサーバは、前記ＰＴグループへのグループ通知の制御に前記グループ通知規則情報を用いることを特徴とするグループ通知の制御のために利用されるＰＴ（Ｐｕｓｈ−Ｔｏ）グループ文書登録方法。
【請求項１３】
前記受信する段階で、
前記ＰＴグループ文書は、ＳＩＰ（Ｓｅｓｓｉｏｎ  Ｉｎｉｔｉａｔｉｏｎ  Ｐｒｏｔｏｃｏｌ）メッセージにより受信されることを特徴とする請求項１２に記載のグループ通知の制御のために利用されるＰＴ（Ｐｕｓｈ−Ｔｏ）グループ文書登録方法。
【請求項１４】
前記ＳＩＰメッセージは、
ＨＴＴＰ  ＰＵＴ又はＨＴＴＰ  ＰＯＳＴであることを特徴とする請求項１３に記載のグループ通知の制御のために利用されるＰＴ（Ｐｕｓｈ−Ｔｏ）グループ文書登録方法。
【請求項１５】
前記グループ通知規則情報は、
グループ通知メッセージの前記ＰＴグループへの送信が許容されているか否かを示す＜ａｃｔｉｏｎｓ＞エレメントと、前記＜ａｃｔｉｏｎｓ＞エレメントに指定された動作を行うために認証された少なくとも１つのＰＴクライアントを示す＜ｃｏｎｄｉｔｉｏｎｓ＞エレメントとを含むことを特徴とする請求項１２に記載のグループ通知の制御のために利用されるＰＴ（Ｐｕｓｈ−Ｔｏ）グループ文書登録方法。
【請求項１６】
前記＜ａｃｔｉｏｎｓ＞エレメントは、
パラメータ＜ａｌｌｏｗ−ｇｒｏｕｐ−ａｄｖｅｒｔｉｓｅｍｅｎｔ−ｓｅｎｄｉｎｇ＞を含むことを特徴とする請求項１５に記載のグループ通知の制御のために利用されるＰＴ（Ｐｕｓｈ−Ｔｏ）グループ文書登録方法。
【請求項１７】
ＰＴグループへのグループ通知を制御するために利用される前記ＰＴグループのＰＴグループ文書を生成し、前記生成されたＰＴグループ文書をＳＩＰ（Ｓｅｓｓｉｏｎ  Ｉｎｉｔｉａｔｉｏｎ  Ｐｒｏｔｏｃｏｌ）メッセージによりＸＤＭ（ＸＭＬ  Ｄａｔａｂａｓｅ  Ｍａｎａｇｅｍｅｎｔ）サーバに送信する制御装置を含み、
前記ＰＴグループ文書は、前記ＰＴグループの少なくとも１つのメンバーに対するグループ通知が許容できる条件を識別するグループ通知規則情報を含むことを特徴とするＰＴ（Ｐｕｓｈ−Ｔｏ）端末。
【請求項１８】
前記ＰＴ端末は、
前記ＰＴグループの生成者であることを特徴とする請求項１７に記載のＰＴ（Ｐｕｓｈ−Ｔｏ）端末。
【請求項１９】
前記ＳＩＰメッセージは、
ＨＴＴＰ  ＰＵＴ又はＨＴＴＰ  ＰＯＳＴであることを特徴とする請求項１７に記載のＰＴ（Ｐｕｓｈ−Ｔｏ）端末。
【請求項２０】
前記グループ通知規則情報は、
グループ通知メッセージの前記ＰＴグループへの送信が許容されているか否かを示す＜ａｃｔｉｏｎｓ＞エレメントと、前記＜ａｃｔｉｏｎｓ＞エレメントに特定された動作を行うために認証された少なくとも１つのＰＴクライアントを示す＜ｃｏｎｄｉｔｉｏｎｓ＞エレメントとを含むことを特徴とする請求項１７に記載のＰＴ（Ｐｕｓｈ−Ｔｏ）端末。
【発明の詳細な説明】
【技術分野】
【０００１】
本発明は、２００６年６月１日付けで出願された米国仮出願番号６０／８０９，８４５、２００６年７月１０日付けで出願された大韓民国特許出願番号１０−２００６−００６４６４１号、２００６年７月１４日付けで出願された大韓民国特許出願番号１０−２００６−００６６５７３号、及び２００７年５月８日付けで出願された大韓民国特許出願番号１０−２００７−００４４６９２号の優先権を主張する。これら出願のそれぞれの内容は、参照することにより本書に完全に組み込まれる。
【０００２】
本発明は、セッションベースサービス（Ｓｅｓｓｉｏｎ  ｂａｓｅｄ  ｓｅｒｖｉｃｅ）に関し、特に、ＳＩＰベースメッセージサービスにおけるグループ通知（Ｇｒｏｕｐ  Ａｄｖｅｒｔｉｓｅｍｅｎｔ）方法に関する。
【背景技術】
【０００３】
一般的に、ＰＴ（Ｐｕｓｈ−Ｔｏ）サービスは、サービスプロバイダ及び移動通信ユーザに高速通信を提供し、１つのクライアントが自身とセッションが確立された１つ以上の他のクライアントにメディアデータ（例えば、発言権（Ｔａｌｋ  ｂｕｒｓｔ））を送信する通信サービスである。前記ＰＴサービスは、音声（オーディオ）の送信のためのＰｏＣ（Ｐｕｔｈ−ｔｏ−ｔａｌｋ  ｏｖｅｒ  Ｃｅｌｌｕｌａｒ）サービス、動画像（ビデオ）の送信のためのＰＴＶ（Ｐｕｓｈ  Ｔｏ  Ｖｉｅｗ）サービス、又はデータの送信のためのＰＴＤ（Ｐｕｓｈ  Ｔｏ  Ｄａｔａ）サービスである。
【０００４】
前記ＰＴサービスは、単一受信者（１対１）又はグループチャットセッションのような受信者グループ（１対多）との通信を可能にし、セッションの確立のためにＳＩＰ（ｓｅｓｓｉｏｎ  ｉｎｉｔｉａｔｉｏｎ  ｐｒｏｔｏｃｏｌ）を用いる。
【０００５】
前記ＰＴサービスにおいて、１つのＰＴクライアントは、クライアント又はクライアントが属するグループをＰＴセッションに招待できる。すなわち、特定ＰＴクライアントが１つ以上の他のＰＴクライアントを選択してＰＴセッションに招待する。前記セッションは、前記ＰＴクライアント間に確立される。従って、前記セッションが確立されたＰＴクライアント間でメディアデータが送受信される。
【０００６】
前記ＰＴサービスは、「グループ通知」を提供する。前記グループ通知は、１つのＰＴグループ生成者が特定ＰＴグループを生成した後、使用のために前記ＰＴグループの存在を他のＰＴクライアントに通知することを意味する。例えば、特定ＰＴクライアントがＰＴグループのアドレス（例えば、グループ名）を前記ＰＴグループのメンバーに通知すると（知らせると）、前記ＰＴグループのメンバーは、前記ＰＴグループのアドレスを利用して互いに通信できる。
【０００７】
前記生成されたＰＴグループは、全てのＰＴクライアントにグループ通知を許容（承認）する非制限チャットＰＴグループ（Ｕｎｒｅｓｔｒｉｃｔｅｄ  Ｃｈａｔ  ＰＴ  Ｇｒｏｕｐ）と、ＰＴグループメンバーにのみグループ通知を許容する制限チャットＰＴグループ（Ｒｅｓｔｒｉｃｔｅｄ  Ｃｈａｔ  ＰＴ  Ｇｒｏｕｐ）とに区分される。このようなＰＴグループは、顧客のようなエンドユーザがこのチャットグループに容易に加入できるように、一般的にサーバ側で、例えば事業者又は管理者により設定される。ここで、前記生成者は、事業者又は管理者でもよい。他の例において、前記生成されたＰＴグループは、一般的に個別エンドユーザにより設定される事前配置ＰＴグループ（ｐｒｅ−ａｒｒａｎｇｅｄ  ＰＴ  ｇｒｏｕｐ）である。例えば、端末のユーザは、自分の家族と友人をメンバーとして構成してユーザ自身のＰＴグループを生成できる。ここで、前記生成者は、この事前配置ＰＴグループを生成したユーザである。
【０００８】
従って、前記ＰＴグループ生成者は、該当ＰＴグループのためのＰＴグループ文書（ＰＴ  Ｇｒｏｕｐ  Ｄｏｃｕｍｅｎｔ）をＸＤＭ（ＸＭＬ  Ｄａｔａｂａｓｅ  Ｍａｎａｇｅｍｅｎｔ）サーバに登録する。一般に、前記ＰＴグループ文書は、そのグループの名称／アドレス及び前記グループに属するメンバーを識別する。制御機能を実行する制御ＰＴサーバは、ＰＴグループ文書に基づいてＳＩＰメッセージを用いてＰＴクライアントのグループ通知要求を処理できる。
【０００９】
しかしながら、従来のＰＴグループ文書は、ＰＴサービスプロバイダが前記グループ通知に対する通知規則を定めていなかったため、グループ通知に関する規則又は条件を詳細に説明していない。その結果、従来においては、前記ＰＴグループ生成者により生成されたＰＴグループに対するグループ通知が全てのＰＴユーザに無条件で許容されるようになり、グループ及びグループメンバーのアドレスの過剰露出により全てのグループメンバーに頻繁な招待をもたらしていた。従来は前記グループ通知のための適切な通知規則（Ａｄｖｅｒｔｉｓｉｎｇ  ｒｕｌｅ）が提供されていなかったため、前記ＰＴグループ生成者は、自身が生成したＰＴグループの安定した維持及び運営ができなかった。その結果、従来においては、個人のプライバシーなどのような関連要因が考慮されずに、グループ通知が不要に数回行われる。また、参加者が属する該当ＰＴグループに関する情報が自分の意思とは関係なく露出するという問題があった。
【発明の開示】
【発明が解決しようとする課題】
【００１０】
従って、本発明の目的は、グループ通知のための通知規則を設定、規定、及び適用するグループ通知方法を提供することにある。
【００１１】
本発明の他の目的は、前記従来技術に関する限界及び欠点を克服するために、ＰＴグループ文書を登録する技術、前記ＰＴグループ文書に基づいてグループ通知を提供する技術、及びそのような技術を実現するために必要な全てのハードウェア／ソフトウェアを提供することにある。
【００１２】
本発明のさらに他の目的は、動的にＰＴグループ文書の規則セット（ｒｕｌｅ  ｓｅｔ）を生成することにより、グループ通知の主体又は客体を多様に適用するグループ通知方法を提供することにある。
【課題を解決するための手段】
【００１３】
このような目的を達成するために、本発明の一実施形態によるＳＩＰベースメッセージサービスでのグループ通知方法は、ＰＴグループ生成者がＰＴグループに対するグループ通知に関する規則情報をＸＤＭサーバに登録する段階と、前記ＸＤＭに登録されたグループ通知に関する規則情報を含む文書を利用して前記ＰＴグループ生成者又はＰＴユーザのグループ通知要求を処理する段階とを含む。
【００１４】
本発明の一実施形態において、前記グループ通知に関する規則情報は、グループ通知の主体又は客体別にＰＴグループ文書内に定義できる。好ましくは、前記グループ通知に関する規則情報は、ＰＴグループが非制限チャットＰＴグループであるか、制限チャットＰＴグループであるかを示すエレメントであり、ＰＴグループ文書の「ｌｉｓｔ−Ｓｅｒｖｉｃｅ」エレメントに追加される「ｃｈａｔ−ｇｒｏｕｐ−ｔｙｐｅ」子エレメント（ｃｈｉｌｄ  ｅｌｅｍｅｎｔ）を含む。
【００１５】
本発明の一実施形態において、前記ＰＴグループが非制限チャットＰＴグループである場合、ＰＴサーバは、任意のＰＴユーザがＰＴグループメンバーでなくても、前記任意のＰＴユーザ間のグループ通知を許容（承認）する。前記ＰＴグループが制限チャットＰＴグループ又は事前配置ＰＴグループである場合、前記ＰＴグループ生成者により生成されたグループ通知に関する規則情報に応じてＰＴクライアント間のグループ通知を許容する。
【００１６】
本発明の一実施形態において、前記グループ通知に関する規則情報は、ＰＴグループに対するグループ通知の主体を示すエレメントを含む。好ましくは、前記エレメントは、ＰＴグループ生成者のみがグループ通知を行うことができるか、全てのＰＴグループメンバーがグループ通知を行うことができるかを規定し、前記ＰＴグループ文書の前記ｌｉｓｔ−Ｓｅｒｖｉｃｅエレメントに追加される「ａｄｖｅｒｔｉｓｅ−ａｌｌ」子エレメントを含む。
【００１７】
本発明の一実施形態において、前記主体規則（ｓｕｂｊｅｃｔ  ｒｕｌｅ）を規定する他の方法は、ａｃｔｉｏｎｓエレメント内にグループ通知条件を設定することである。好ましくは、前記「ａｄｖｅｒｔｉｓｅ−ａｌｌ」値が偽である場合、ＰＴサーバは、ＰＴグループ文書を生成したＰＴグループ生成者のみにグループ通知を行うことを許容し、前記「ａｄｖｅｒｔｉｓｅ−ａｌｌ」値が真である場合は、全てのＰＴグループメンバーにグループ通知を行うことを許容する。
【００１８】
本発明の一実施形態において、前記ＰＴグループに対するグループ通知の主体を示すエレメントを生成する他の方法は、ＰＴグループ文書のａｃｔｉｏｎｓエレメントに「ｇｒｏｕｐ−ａｄｖｅｒｔｉｓｅｍｅｎｔ−ｓｕｂｊｅｃｔｓ」（「ｇｒｏｕｐ−ａｄｖｅｒｔｉｓｅｍｅｎｔ−ｓｅｎｄｉｎｇ」ともいう）子エレメントを含めることである。好ましくは、前記「ｇｒｏｕｐ−ａｄｖｅｒｔｉｓｅｍｅｎｔ−ｓｕｂｊｅｃｔｓ」値が偽である場合、前記ＰＴサーバは、ＰＴグループ生成者を除いた他のＰＴユーザにグループ通知を行うことを許容しない。前記「ｇｒｏｕｐ−ａｄｖｅｒｔｉｓｅｍｅｎｔ−ｓｕｂｊｅｃｔｓ」値が真である場合、前記ＰＴサーバは、グループ通知を要求した全てのＰＴユーザにグループ通知を行うことを許容する。
【００１９】
本発明の一実施形態において、前記グループ通知に関する規則情報は、前記ＰＴグループに対するグループ通知メッセージの客体を示すエレメントを含む。好ましくは、前記エレメントは、グループ通知メッセージがＰＴグループメンバーにのみ送信されるか、任意のＰＴユーザにも送信されるかを示し、前記ＰＴグループ文書の「ｌｉｓｔ−Ｓｅｒｖｉｃｅ」エレメントに追加される「ａｄｖｅｒｔｉｓｅ−ｍｅｍｂｅｒｓ」子エレメントである。好ましくは、前記「ａｄｖｅｒｔｉｓｅ−ｍｅｍｂｅｒｓ」値が偽である場合、前記ＰＴサーバは、前記ＰＴグループメンバーにのみ前記グループ通知メッセージを送信することを許容する。前記「ａｄｖｅｒｔｉｓｅ−ｍｅｍｂｅｒｓ」値が真である場合、前記ＰＴサーバは、前記グループ通知メッセージを送信することを所望するＰＴユーザに、任意のＰＴユーザに対してグループ通知メッセージを送信することを許容する。
【００２０】
本発明の一実施形態において、前記ＰＴグループに対するグループ通知の客体を示すエレメントを生成する他の方法は、前記ＰＴグループ文書のａｃｔｉｏｎｓエレメントに「ｇｒｏｕｐ−ａｄｖｅｒｔｉｓｅｍｅｎｔ−ｏｂｊｅｃｔｓ」子エレメントを含めることである。好ましくは、前記「ｇｒｏｕｐ−ａｄｖｅｒｔｉｓｅｍｅｎｔ−ｏｂｊｅｃｔｓ」値が偽である場合、前記ＰＴサーバは、該当ＰＴユーザへのグループ通知メッセージの送信を許容しない。前記「ｇｒｏｕｐ−ａｄｖｅｒｔｉｓｅｍｅｎｔ−ｏｂｊｅｃｔｓ」値が真である場合、前記ＰＴサーバは、該当ＰＴユーザへのグループ通知メッセージの送信を許容する。
【００２１】
一態様によれば、本発明は、ＰＴグループ通知制御方法を提供し、前記方法は、特定ＰＴグループに対するグループ通知メッセージ送信要求を要求ＰＴクライアントからＰＴサーバが受信する段階と、前記特定ＰＴグループが制限チャットグループであるか又は事前配置グループであるかを前記ＰＴサーバが判断する段階と、前記特定ＰＴグループに関するＰＴグループ文書に基づいて前記要求ＰＴクライアントのグループ通知の送信が許容されているか否かを前記ＰＴサーバが判断する段階と、前記２つの判断段階の結果に基づいて前記特定ＰＴグループのメンバーに前記グループ通知メッセージを前記ＰＴサーバが選択的に送信する段階とを含む。
【００２２】
他の態様によれば、本発明は、グループ通知の制御のために利用されるＰＴグループ文書登録方法を提供し、前記方法は、ＰＴグループへのグループ通知が許容できる条件を識別するグループ通知規則情報を含むＰＴグループ文書を前記ＰＴグループの生成者からＸＤＭ（ＸＭＬ  Ｄａｔａｂａｓｅ  Ｍａｎａｇｅｍｅｎｔ）サーバが受信する段階と、前記生成者の認証を行う段階と、前記生成者が認証された場合、前記受信されたＰＴグループに関するＰＴグループ文書を前記ＸＤＭサーバが保存する段階とを含み、ＰＴサーバは、前記ＰＴグループへのグループ通知の制御に前記グループ通知規則情報を用いる。
【００２３】
他の態様によれば、本発明は、ＰＴ端末を提供し、前記端末は、ＰＴグループへのグループ通知を制御するために利用される前記ＰＴグループのＰＴグループ文書を生成し、前記生成されたＰＴグループ文書をＳＩＰメッセージによりＸＤＭサーバに送信する制御装置を含み、前記ＰＴグループ文書は、前記ＰＴグループの少なくとも１つのメンバーに対するグループ通知が許容できる条件を識別するグループ通知規則情報を含む。
【００２４】
本発明の前記及び他の目的は、以下に説明される詳細な説明により明らかになるであろう。しかし、本発明の好ましい実施形態を示す詳細な説明及び特定例は、単なる例にすぎないことは理解できるであろう。本発明の精神と範囲内で行われる多様な変更及び変形は本発明の詳細な説明から当業者に明らかになるであろう。
【００２５】
本発明は、以下の詳細な説明及び単なる例として与えられた添付図面から完全に理解できるであろうし、本発明は、これにより限定されるものではない。
【発明を実施するための最良の形態】
【００２６】
以下、本発明の好ましい実施形態を添付図面を参照して詳細に説明する。
【００２７】
本発明の実施形態によるＳＩＰベースメッセージサービスのためのグループ通知方法は、ＰＴグループ生成者が特定ＰＴグループを生成し、前記生成されたＰＴグループのための少なくとも１つのＰＴグループ文書をＸＤＭサーバに登録する段階と、特定ＰＴユーザ（すなわち、ＰＴクライアント）がグループ通知を要求した場合、制御ＰＴ機能を行うＰＴサーバが前記登録されたＰＴグループ文書を利用してグループ通知要求を処理する段階とを含む。
【００２８】
本発明において、ＰＴクライアントは、携帯電話機、ＰＤＡ、スマートフォン、ノートブックコンピュータなどのＰＴ端末でもよく、このＰＴ端末内のエレメントでもよい。ＰＴ端末は、ＰｏＣサービス、ＰＴＶサービス、ＰＴＤサービスなどのＰＴサービスを提供／受信できる端末である。
【００２９】
図１は、本発明の一実施形態により、ＰＴグループ文書をＸＤＭサーバに保存及び／又はアップデートする方法を示す図である。本発明の方法が適用される他のシステムも可能である。
【００３０】
図１に示すように、まず、ＰＴグループ生成者（例えば、ＰＴクライアント、ＰＴユーザ）１０は、ＰＴグループを記述する少なくとも１つのＰＴグループ文書（例えば、図２の文書６０）を保存又はアップデートするために、ＸＣＡＰプロトコルを利用してアグリゲーションプロキシ（Ａｇｇｒｅｇａｔｉｏｎ  Ｐｒｏｘｙ）１１にＨＴＴＰ  ＰＵＴ（又は、ＨＴＴＰ  ＰＯＳＴ）要求を送信して（Ｓ１０）前記ＰＴグループ文書をＸＭＤサーバ１２に保存又はアップデートする。前記ＨＴＴＰ  ＰＵＴ（又は、ＨＴＴＰ  ＰＯＳＴ）要求は、アグリゲーションプロキシ１１を介してＸＤＭサーバ１２に送信される（Ｓ１１）。ＸＤＭサーバ１２は、（例えば、現在ＰＴグループ生成者１０が有効な生成者であるかなどを検証するために）ＰＴグループ生成者１０に要求される承認／認証チェック（ａｕｔｈｏｒｉｚａｔｉｏｎ／ａｕｔｈｅｎｔｉｃａｔｉｏｎ  ｃｈｅｃｋ）を行い、前記アグリゲーションプロキシ１１を介して応答メッセージ（例えば、「２００  ＯＫ」）をＰＴグループ生成者１０に送信する（Ｓ１２及びＳ１３）。前記応答メッセージは、前記ＰＴグループ文書がＸＤＭサーバ１２に保存又はアップデートされたことを通知するものである。従って、特定ＰＴグループの生成者は、その特定グループに関する情報であるＰＴグループ文書を準備又は生成することができ、また、そのＰＴグループ文書をＸＤＭサーバ１２に保存することができる。
【００３１】
ＰＴグループ文書とは、一般的にＸＤＭ文書であり、図１のＸＤＭサーバ１２に保存されているＸＤＭ文書の一例は、本発明の一実施形態による図２に示す。
【００３２】
図２に示すように、本発明のＸＤＭ文書６０は、その下部に＜ｌｉｓｔ＞エレメント５２と、＜ｒｕｌｅｓｅｔ＞エレメント５４と、（必要に応じて）他のエレメントとが提供される＜ｌｉｓｔ−Ｓｅｒｖｉｃｅ＞エレメント５０から構成される。前記＜ｌｉｓｔ−Ｓｅｒｖｉｃｅ＞エレメント５０の属性（内容）は、ＸＤＭ文書６０に含まれるＰＴグループのグループアドレス又は他のグループ識別子である。図２の実施形態において、グループアドレス「ｍｙｃｏｎｆｅｒｅｎｃｅ＠ｅｘａｍｐｌｅ．ｃｏｍ」は、ＰＴグループを識別する前記＜ｌｉｓｔ−Ｓｅｒｖｉｃｅ＞エレメント５０の属性として提供される。前記グループアドレス「ｍｙｃｏｎｆｅｒｅｎｃｅ＠ｅｘａｍｐｌｅ．ｃｏｍ」により識別されるＰＴグループに属するメンバーのリストが前記＜ｌｉｓｔ＞エレメント５２において提供される。例えば、前記ＰＴグループに属するメンバーのアドレスが提供される。図２の実施形態において、２メンバー（５３ａ及び５３ｂ）はそれぞれ「ｔｅｌ＝：＋１−２１２−５５５−１２３４」と「ｓｉｐ：ｈｅｒｍｉｏｎｅ．ｂｌｏｓｓｏｍ＠ｅｘａｍｐｌｅ．ｃｏｍ」により識別される。
【００３３】
前記＜ｒｕｌｅｓｅｔ＞エレメント５４は、＜ｃｏｎｄｉｔｉｏｎｓ＞エレメント５６と＜ａｃｔｉｏｎｓ＞エレメント５８とから構成される。前記＜ｃｏｎｄｉｔｉｏｎｓ＞エレメント５６は、条件（又は、目的）を識別し、前記＜ａｃｔｉｏｎｓ＞エレメント５８は、前記＜ｃｏｎｄｉｔｉｏｎｓ＞エレメント５６で識別された前記条件（又は、目的）により行われる動作又は機能を識別する。一実施形態によれば、前記＜ｃｏｎｄｉｔｉｏｎｓ＞エレメント５６においては、１つ以上のＰＴクライアント（又は、ユーザ）が識別され、前記＜ａｃｔｉｏｎｓ＞エレメント５８においては、該当＜ｃｏｎｄｉｔｉｏｎｓ＞エレメント５６で識別された前記ＰＴクライアントがグループ通知（例えば、特定ＰＴグループアドレスを通知するための通知メッセージ）を送信することが許容されているか否かが識別される。ここで、前記＜ａｃｔｉｏｎｓ＞５８のサブエレメントとして＜ａｌｌｏｗ−ｇｒｏｕｐ−ａｄｖｅｒｔｉｓｅｍｅｎｔ−ｓｅｎｄｉｎｇ＞エレメント５９が提供されるが、これは、前記動作が何であるかを識別する。前記動作は、グループ通知メッセージを送信する動作である。前記＜ａｌｌｏｗ−ｇｒｏｕｐ−ａｄｖｅｒｔｉｓｅｍｅｎｔ−ｓｅｎｄｉｎｇ＞エレメント５９が「偽」である場合、前記＜ｃｏｎｄｉｔｉｏｎｓ＞エレメント５６で識別された各メンバーは、グループ通知メッセージを送信できない。それに対して、前記＜ａｌｌｏｗ−ｇｒｏｕｐ−ａｄｖｅｒｔｉｓｅｍｅｎｔ−ｓｅｎｄｉｎｇ＞エレメント５９が「真」である場合、前記＜ｃｏｎｄｉｔｉｏｎｓ＞エレメント５６で識別された各メンバーは、前記ＰＴグループに属するメンバー（すなわち、前記＜ｌｉｓｔ＞エレメント５２で識別されたメンバー）の全てにグループ通知メッセージを送信できる。図２の実施形態において、＜ａｌｌｏｗ−ｇｒｏｕｐ−ａｄｖｅｒｔｉｓｅｍｅｎｔ−ｓｅｎｄｉｎｇ＞エレメント５９が「真」であるため、これは、要求がある場合、前記＜ｃｏｎｄｉｔｉｏｎｓ＞エレメント５６で識別されたメンバーそれぞれ（例えば、「ｔｅｌ＝：＋１−２１２−５５５−１２３４」と「ｓｉｐ：ｈｅｒｍｉｏｎｅ．ｂｌｏｓｓｏｍ＠ｅｘａｍｐｌｅ．ｃｏｍ」）が前記＜ｌｉｓｔ＞エレメント５２に提示されているメンバー５３ａ及び５３ｂにグループ通知メッセージを送信することが可能になることを意味する。
【００３４】
図３は、本発明の一実施形態により、ＸＤＭサーバに登録されたＰＴグループ文書を利用して制御ＰＴ機能を行うＰＴサーバがグループ通知を選択的に処理する方法を示す。
【００３５】
図３に示すように、まずＰＴクライアント２０は、ＳＩＰ／ＩＰコア２１にＳＩＰ  ＭＥＳＳＡＧＥを送信してグループ通知を要求する（Ｓ２０）。グループ通知は、例えば、特定グループの少なくとも１人のメンバーに通知メッセージを送信することに関連する。ＳＩＰ  ＭＥＳＳＡＧＥは、周知のＳＩＰプロトコルに従ってインスタントメッセージ（Ｉｎｓｔａｎｔ  Ｍｅｓｓａｇｅ：ＩＭ）の送信に使用される特定メッセージである。ここで、前記ＳＩＰ  ＭＥＳＳＡＧＥは、ＰＴグループアドレス（例えば、ｍｙｃｏｎｆｅｒｅｎｃｅ＠ｅｘａｍｐｌｅ．ｃｏｍ）を含む。ここで、前記ＳＩＰ／ＩＰコア２１は、このＳＩＰメッセージをルーティングするものであり、３ＧＰＰではＩＭＳ（ＩＰ  Ｍｕｌｔｉｍｅｄｉａ  Ｓｕｂｓｙｓｔｅｍ）に相当し、３ＧＰＰ２ではＭＭＤに相当する。
【００３６】
ＳＩＰ／ＩＰコア２１は、受信したＳＩＰ  ＭＥＳＳＡＧＥをＰＴサーバ２２に送信する（Ｓ２１）。ＰＴサーバ２２は、前記受信したＳＩＰ  ＭＥＳＳＡＧＥに指定されているＰＴグループアドレス（又は、グループ識別子）に関する少なくとも１つのＰＴグループ文書をＸＤＭサーバ１２から取得する。前述したように、特定ＰＴグループに関連する少なくとも１つのＰＴグループ文書は、図１の方法によりＸＤＭサーバ１２に登録又は保存される。
【００３７】
前記ＰＴグループ文書が取り出されると、ＰＴサーバ２２は、前記取り出されたＰＴグループ文書に基づいて要求ＰＴクライアント２０がグループ通知（例えば、グループ通知メッセージ）を他のＰＴクライアントに送信することを許容するか否かを決定する。ＸＤＭサーバ１２がグループ通知の送信の許容を決定すると、ＰＴサーバ２２は、前記取得したＰＴグループ文書に基づいて適合したＰＴクライアントにグループ通知を送信する（Ｓ２２）。しかし、前記取得したＰＴグループ文書が前記要求されたグループ通知の不許を示す場合、ＰＴサーバ２２は、ＰＴクライアント２０によるそのグループ通知を許容せず、この決定をＰＴクライアント２０に通知する。
【００３８】
以下、本発明の一実施形態による段階Ｓ２２を図２を参照して詳細に説明する。段階Ｓ２０及びＳ２１で、ＰＴサーバ２２がＳＩＰ／ＩＰコア２１を介して前記ＳＩＰ  ＭＥＳＳＡＧＥをＰＴクライアント２０（グループ通知要求者）から受信すると、ＰＴサーバ２２は、前記受信したＳＩＰ  ＭＥＳＳＡＧＥに指定されているグループアドレス（又は、グループ識別子）に関するＰＴグループ文書をＸＤＭサーバ１２から取得する。一例として、前記受信したＳＩＰ  ＭＥＳＳＡＧＥがグループアドレスとして「ｍｙｃｏｎｆｅｒｅｎｃｅ＠ｅｘａｍｐｌｅ．ｃｏｍ」を含む場合、ＰＴサーバ２２は、ＸＤＭサーバ１２からＰＴグループ文書６０を取り出す。そして、ＰＴサーバ２２は、（例えば、グループアドレスに基づいて）前記識別されたグループが「制限チャットグループ」であるか又は「事前配置グループ」であるかを確認する。この確認は、ＰＴサーバ２２、又はＸＤＭサーバ１２に保存されたＰＴグループ文書に保存されているＰＴグループ情報に基づく。ここで、「ｍｙｃｏｎｆｅｒｅｎｃｅ＠ｅｘａｍｐｌｅ．ｃｏｍ」というグループアドレスを有する前記ＰＴグループは、制限チャットＰＴグループ又は事前配置ＰＴグループであると推定される。また、ＰＴサーバ２２は、前記要求者（すなわち、ＰＴクライアント２０）がＸＤＭ文書６０の＜ｃｏｎｄｉｔｉｏｎｓ＞エレメント５６で識別されるＰＴクライアントの一人であるか否かを確認する。現在の要求者（ＰＴクライアント２０）が＜ｃｏｎｄｉｔｉｏｎｓ＞エレメント５６で識別され、前記グループが制限チャットＰＴグループ又は事前配置ＰＴグループであると判断された場合、ＰＴサーバ２２は、＜ａｃｔｉｏｎｓ＞エレメント５８に指定された動作を行うか否かを決定する。
【００３９】
例えば、ＸＤＭ文書６０は、
…
＜ａｃｔｉｏｎｓ＞
＜ａｌｌｏｗ−ｇｒｏｕｐ−ａｄｖｅｒｔｉｓｅｍｅｎｔ−ｓｅｎｄｉｎｇ＞ｔｒｕｅ＜／ａｌｌｏｗ−ｇｒｏｕｐ−ａｄｖｅｒｔｉｓｅｍｅｎｔ−ｓｅｎｄｉｎｇ＞
＜／ａｃｔｉｏｎｓ＞
…
を含み、前記要求されたＰＴグループが制限チャットＰＴグループ又は事前配置ＰＴグループとみなされるため、ＰＴサーバ２２は、要求者２０が前記グループのメンバーにグループ通知を送信すると決定し（エレメント５９の値が「真」である場合）、また、前記＜ｌｉｓｔ＞エレメント５２により識別されるグループのメンバー（すなわち、５３ａ及び５３ｂ）に前記グループ通知（例えば、前記受信されたＳＩＰ  ＭＥＳＳＡＧＥ）を送信すると決定する。
【００４０】
本発明の実施形態において、前述したエレメントの名称は、要望通りに変更できる。例えば、パラメータ＜ａｌｌｏｗ−ｇｒｏｕｐ−ａｄｖｅｒｔｉｓｅｍｅｎｔ−ｓｅｎｄｉｎｇ＞は、＜ｇｒｏｕｐ−ａｄｖｅｒｔｉｓｅｍｅｎｔ−ｓｕｂｊｅｃｔｓ＞又は他の名称に変更できる。
【００４１】
前記グループ通知の送信が完了した後、ＰＴサーバ２２は、ＳＩＰ／ＩＰコア２１を介して応答（例えば、「２０２  Ａｃｃｅｐｔｅｄ」）をＰＴクライアント２０に送信し、グループ通知要求が承認されたことを通知する（Ｓ２３及びＳ２４）。
【００４２】
このように、本発明において、ＰＴクライアント／ユーザが前記ＰＴクライアント／ユーザのＰＴグループに関連するグループ通知を処理する方法に関する規則を予め設定することができる。また、本発明において、ＰＴサーバは、ＸＤＭサーバに保存された該当ＰＴグループ文書に記述されているグループ通知規則に基づいて１つのＰＴクライアントから１つ以上の他のＰＴクライアントへのグループ通知を制御することができる。また、ＰＴグループのタイプ及びＰＴグループメンバーによって、図２に示すＰＴグループ文書の通知規則を動的に作成し、特定ＰＴクライアントからグループ通知が要求されると、前記作成された通知規則に従って多様なグループ通知方法が提供される。
【００４３】
以下、本発明の一実施形態によるグループ通知の処理方法の５つの例について詳細に説明する。
【００４４】
本発明の第１例は、ＰＴグループのタイプに応じたグループ通知方法を示す。この方法は、ＰＴグループ文書にＰＴグループのタイプ（例えば、非制限チャットＰＴグループ、制限チャットＰＴグループ、又は事前配置グループ）を認識できるエレメントを追加することにより行われる。
【００４５】
例えば、前記方法を行うために、ＰＴグループ生成者１０は、図２に示すＰＴグループ文書の＜ｌｉｓｔ−Ｓｅｒｖｉｃｅ＞エレメント５０の下に＜ｃｈａｔ−ｇｒｏｕｐ−ｔｙｐｅ＞子エレメントを追加する。好ましくは、前記＜ｃｈａｔ−ｇｒｏｕｐ−ｔｙｐｅ＞エレメントは、前記チャットＰＴグループが制限チャットＰＴグループであるか、非制限チャットＰＴグループであるかを示すことができる。ここで、「制限」又は「真」は、ＰＴグループが制限チャットＰＴグループであることを示すことができ、「非制限」又は「偽」は、ＰＴグループが非制限チャットＰＴグループであることを示すことができる。例えば、非制限チャットＰＴグループである場合、＜ｃｈａｔ−ｇｒｏｕｐ−ｔｙｐｅ＞子エレメントは、以下のように表現される。
【００４６】
…
＜ｌｉｓｔ−ｓｅｒｖｉｃｅ  ｕｒｉ＝“ｓｉｐ：ｍｙｃｏｎｆｅｒｅｎｃｅ＠ｅｘａｍｐｌｅ．ｃｏｍ”＞
＜ｄｉｓｐｌａｙ−ｎａｍｅ  ｘｍｌ：ｌａｎｇ＝“ｅｎ−ｕｓ”＞Ｆｒｉｅｎｄｓ＜／ｄｉｓｐｌａｙ−ｎａｍｅ＞
＜ｃｈａｔ−ｇｒｏｕｐ−ｔｙｐｅ＞ｆａｌｓｅ＜／ｃｈａｔ−ｇｒｏｕｐ−ｔｙｐｅ
…
他の例において、＜ｇｒｏｕｐ−ｔｙｐｅ＞エレメントは、＜ｌｉｓｔ−Ｓｅｒｖｉｃｅ＞エレメント５０の下に提供され、これは、ＰＴグループのタイプを示す。他の例も可能である。従って、前述したＰＴグループ文書がＸＤＭサーバ１２に登録されると、前記非制限チャットＰＴグループである場合、該当ＰＴグループ文書を使用してグループ通知を行うＰＴサーバ２２は、ＰＴグループメンバーでなくても任意のＰＴクライアント（ＰＴユーザ）間のグループ通知を承認（許容）する。一方、制限チャットＰＴグループである場合又は該当グループが事前配置ＰＴグループである場合、ＰＴサーバ２２は、前記ＰＴグループ文書を用いてＰＴグループ生成者により指定されたＰＴクライアント間のグループ通知のみを承認（許容）する。
【００４７】
ここで、前記指定されたＰＴクライアントのＩＤ情報リストは、ｃｏｎｄｉｔｉｏｎｓエレメントとしてＰＴグループ文書にＰＴグループ生成者により予めに定義される。
【００４８】
本発明の第２例は、グループ通知を要求する主体に応じたグループ通知方法であり、本発明は、ＰＴグループ生成者のみがグループ通知を実行できるか、全てのＰＴグループメンバーがグループ通知を実行できるかを規定する。
【００４９】
例えば、前記方法を行うために、ＰＴグループ生成者１０は、図２に示すＰＴグループ文書の＜ｌｉｓｔ−ｓｅｒｖｉｃｅ＞エレメントに＜ａｄｖｅｒｔｉｓｅ−ａｌｌ＞子エレメントを追加する。前記＜ａｄｖｅｒｔｉｓｅ−ａｌｌ＞エレメントは、「偽」又は「真」に設定され、「偽」は、ＰＴグループ生成者のみにグループ通知の実行が承認（許容）されたことを示すことができ、「真」は、＜ｌｉｓｔ＞エレメント５２で識別された全てのＰＴグループメンバーにグループ通知の実行が承認されたことを示すことができる。例えば、全てのＰＴグループメンバーに対して通知の実行が承認された場合、＜ａｌｌ−ａｄｖｅｒｔｉｓｅ＞子エレメントは、以下のように表現される。
【００５０】
…
＜ｌｉｓｔ−ｓｅｒｖｉｃｅ  ｕｒｉ＝“ｓｉｐ：ｍｙｃｏｎｆｅｒｅｎｃｅ＠ｅｘａｍｐｌｅ．ｃｏｍ”＞
＜ｄｉｓｐｌａｙ−ｎａｍｅ  ｘｍｌ：ｌａｎｇ＝“ｅｎ−ｕｓ”＞Ｆｒｉｅｎｄｓ＜／ｄｉｓｐｌａｙ−ｎａｍｅ＞
＜ａｄｖｅｒｔｉｓｅ−ａｌｌ＞ｔｒｕｅ＜／ａｌｌ−ａｄｖｅｒｔｉｓｅ＞
…
従って、前述したＰＴグループ文書がＸＤＭサーバ１２に登録された場合、該当ＰＴグループ文書を使用してグループ通知を行うＰＴサーバ２２は、＜ａｄｖｅｒｔｉｓｅ−ａｌｌ＞エレメント値が「偽」である場合は、前記ＰＴグループ文書を作成したＰＴグループ生成者１０のみにグループ通知の実行を承認し、＜ａｄｖｅｒｔｉｓｅ−ａｌｌ＞エレメント値が「真」である場合は、全てのＰＴグループメンバーにグループ通知の実行を承認する。
【００５１】
本発明の第３例においては、グループ通知を要求する主体に応じたグループ通知方法を多様に設定できる。この方法は、ＰＴグループ生成者１０により承認された特定ＰＴユーザのみがグループ通知を実行できるように実現される。
【００５２】
例えば、前記方法を行うために、ＰＴグループ生成者１０は、図２に示すＰＴグループ文書の＜ａｃｔｉｏｎｓ＞エレメント５８に＜ｇｒｏｕｐ−ａｄｖｅｒｔｉｓｅｍｅｎｔ−ｓｕｂｊｅｃｔｓ＞子エレメントを追加する。好ましくは、前記＜ｇｒｏｕｐ−ａｄｖｅｒｔｉｓｅｍｅｎｔ−ｓｕｂｊｅｃｔｓ＞エレメントは、グループ通知が特定ＰＴグループメンバーに対してのみ承認されるか否かを示すことができる。ここで、＜ｇｒｏｕｐ−ａｄｖｅｒｔｉｓｅｍｅｎｔ−ｓｕｂｊｅｃｔ＞の値としての「偽」は、＜ｃｏｎｄｉｔｉｏｉｎｓ＞エレメントに提示されたＰＴユーザが該当ＰＴグループメンバーに公知することが承認／許容されていないことを示す。すなわち、前記ＰＴサーバは、前記＜ｃｏｎｄｉｔｉｏｎｓ＞エレメントのＩＤ情報リストに含まれているユーザ（又は、クライアント）によるグループ通知メッセージの送信を制限する。それに対して、＜ｇｒｏｕｐ−ａｄｖｅｒｔｉｓｅｍｅｎｔ−ｓｕｂｊｅｃｔ＞の値としての「真」は、＜ｃｏｎｄｉｔｉｏｎｓ＞エレメントに提示されたＰＴユーザが該当ＰＴグループメンバーに通知することが承認／許容されたことを示す。すなわち、前記ＰＴサーバは、前記＜ｃｏｎｄｉｔｉｏｎｓ＞エレメントのＩＤリストに含まれているユーザがグループ通知メッセージを送信することを承認する。
【００５３】
例えば、特定ＰＴグループメンバーへの通知が承認／許容された場合、＜ｇｒｏｕｐ−ａｄｖｅｒｔｉｓｅｍｅｎｔ−ｓｕｂｊｅｃｔｓ＞子エレメントは、以下のように表現される。
【００５４】
…
＜ｃｒ：ａｃｔｉｏｎｓ＞
＜ｇｒｏｕｐ−ａｄｖｅｒｔｉｓｅｍｅｎｔ−ｓｕｂｊｅｃｔｓ＞ｔｒｕｅ＜／＜ｇｒｏｕｐ−ａｄｖｅｒｔｉｓｅｍｅｎｔ−ｓｕｂｊｅｃｔｓ＞
従って、前述したＰＴグループ文書がＸＤＭサーバ１２に登録された場合、ＰＴグループ文書を使用してグループ通知を行うＰＴサーバ２２は、＜ｇｒｏｕｐ−ａｄｖｅｒｔｉｓｅｍｅｎｔ−ｓｕｂｊｅｃｔｓ＞エレメント値が「偽」である場合は、ＩＤ情報リストに含まれているユーザに対してグループ通知の実行を許容せず、＜ｇｒｏｕｐ−ａｄｖｅｒｔｉｓｅｍｅｎｔ−ｓｕｂｊｅｃｔｓ＞エレメント値が「真」である場合は、ＩＤ情報リストに含まれているユーザに対してグループ通知の実行を許容する。本発明の第４例は、グループ通知メッセージが送信される客体に応じたグループ通知方法である。この方法は、グループ通知メッセージがＰＴグループメンバーのみに又は任意のＰＴユーザにも送信されるように実現される。
【００５５】
例えば、この例において、ＰＴグループ生成者１０は、図２に示すＰＴグループ文書の＜ｌｉｓｔ−Ｓｅｒｖｉｃｅ＞エレメント５０の下に＜ａｄｖｅｒｔｉｓｅ−ｍｅｍｂｅｒｓ＞子エレメントを追加する。好ましくは、前記＜ａｄｖｅｒｔｉｓｅ−ｍｅｍｂｅｒｓ＞エレメントは、特定ＰＴアドレスに対する通知が承認／許容されたか否かを示すことができる。ここで、前記＜ａｄｖｅｒｔｉｓｅ−ｍｅｍｂｅｒｓ＞の値としての「偽」は、＜ｃｏｎｄｉｔｉｏｉｎｓ＞エレメントに提示されたＰＴユーザへのグループ通知メッセージの送信が許容されたことを示し、前記＜ａｄｖｅｒｔｉｓｅ−ｍｅｍｂｅｒｓ＞の値としての「真」は、任意のＰＴユーザにもグループ通知メッセージが送信されるように許容されたことを示すことができる。例えば、ＰＴグループメンバーにのみグループ通知メッセージが送信されるように許容された場合、前記＜ａｄｖｅｒｔｉｓｅ−ｍｅｍｂｅｒｓ＞エレメントは、以下のように表現される。
【００５６】
…
＜ｌｉｓｔ−ｓｅｒｖｉｃｅ  ｕｒｉ＝“ｓｉｐ：ｍｙｃｏｎｆｅｒｅｎｃｅ＠ｅｘａｍｐｌｅ．ｃｏｍ”＞
＜ｄｉｓｐｌａｙ−ｎａｍｅ  ｘｍｌ：ｌａｎｇ＝“ｅｎ−ｕｓ”＞Ｆｒｉｅｎｄｓ＜／ｄｉｓｐｌａｙ−ｎａｍｅ＞＞
＜ａｄｖｅｒｔｉｓｅ−ｍｅｍｂｅｒｓ＞ｆａｌｓｅ＜／ａｄｖｅｒｔｉｓｅ−ｍｅｍｂｅｒｓ＞
…
従って、前述したＰＴグループ文書がＸＤＭサーバ１２に登録された場合、該当ＰＴグループ文書を使用してグループ通知を行うＰＴサーバ２２は、＜ａｄｖｅｒｔｉｓｅ−ｍｅｍｂｅｒｓ＞エレメント値が「偽」である場合、ＰＴグループメンバーにのみグループ通知メッセージが送信されるように許容するのに対して、前記ＰＴサーバ２２は、グループ通知メッセージを送信することを所望するＰＴユーザが任意のＰＴユーザにグループ通知メッセージを送信するように許容する。
【００５７】
本発明の第５例は、グループ通知メッセージが送信される客体に応じたグループ通知方法を示す。この方法は、ＰＴグループ生成者により承認されたＰＴユーザにグループ通知メッセージが送信できるように実現される。
【００５８】
例えば、前記方法を行うために、ＰＴグループ生成者１０は、図２に示すＰＴグループ文書の＜ａｃｔｉｏｎｓ＞エレメント５８に＜ｇｒｏｕｐ−ａｄｖｅｒｔｉｓｅｍｅｎｔ−ｏｂｊｅｃｔｓ＞子エレメントを追加する。一例として、前記＜ｇｒｏｕｐ−ａｄｖｅｒｔｉｓｅｍｅｎｔ−ｏｂｊｅｃｔｓ＞エレメント値は、「偽」又は「真」に設定され、前記＜ｇｒｏｕｐ−ａｄｖｅｒｔｉｓｅｍｅｎｔ−ｏｂｊｅｃｔ＞の値としての「偽」は、＜ｃｏｎｄｉｔｉｏｉｎｓ＞エレメントに含まれているＰＴユーザ（すなわち、＜ｃｏｎｄｉｔｉｏｎｓ＞エレメント５６に指定されたユーザ）へのグループ通知メッセージの送信が制限されたことを示すことができ、前記＜ｇｒｏｕｐ−ａｄｖｅｒｔｉｓｅｍｅｎｔ−ｏｂｊｅｃｔ＞の値としての「真」は、＜ｃｏｎｄｉｔｉｏｉｎｓ＞エレメントに含まれているＰＴユーザへのグループ通知メッセージの送信が許容されたことを示すことができる。例えば、特定ＰＴグループメンバーにグループ通知メッセージの受信が承認／許容された場合、＜ｇｒｏｕｐ−ａｄｖｅｒｔｉｓｅｍｅｎｔ−ｏｂｊｅｃｔｓ＞子エレメントは、以下のように表現される。
【００５９】
…
＜ｃｒ：ａｃｔｉｏｎｓ＞
＜ｇｒｏｕｐ−ａｄｖｅｒｔｉｓｅｍｅｎｔ−ｏｂｊｅｃｔｓ＞ｔｒｕｅ＜／＜ｇｒｏｕｐ−ａｄｖｅｒｔｉｓｅｍｅｎｔ−ｏｂｊｅｃｔｓ＞
従って、前述したＰＴグループ文書がＸＤＭサーバ１２に登録された場合、ＰＴサーバは、＜ｇｒｏｕｐ−ａｄｖｅｒｔｉｓｅｍｅｎｔ−ｏｂｊｅｃｔｓ＞エレメント値が「偽」である場合、該当ＰＴユーザへのグループ通知メッセージの送信を許容せず、＜ｇｒｏｕｐ−ａｄｖｅｒｔｉｓｅｍｅｎｔ−ｏｂｊｅｃｔｓ＞エレメント値が「真」である場合、該当ＰＴユーザへのグループ通知メッセージの送信を許容する。
【００６０】
前述したように、本発明は、ＰＴクライアント／ユーザがＰＴグループ文書に通知規則を動的に定義できるようにして多様な主体から多様な客体へのグループ通知を可能にする。また、必要な場合、前記グループ通知が選択的に制限できてＰＴグループ生成者により生成されたＰＴグループの安定した維持及び運用を可能にする。
【００６１】
本発明は、図面に示す実施形態に基づいて説明されたが、これは単なる例示に過ぎない。本発明の精神及び範囲内で多様な変形及び変更が可能であることは当業者に明らかである。従って、本発明の請求の範囲及びその均等物の範囲内で行われる変更及び変形は本発明の請求の範囲に含まれる。
【図面の簡単な説明】
【００６２】
【図１】本発明の一実施形態により、ＳＩＰベースメッセージサービスにおいてグループ通知のためにＰＴグループ文書をＸＤＭサーバに登録する方法を示す図である。
【図２】本発明の一実施形態により、ＰＴグループ文書の一例を示す図である。
【図３】本発明の一実施形態により、ＸＤＭサーバに登録されたＰＴグループ文書を利用して制御ＰＴ機能を行うＰＴサーバがグループ通知を処理する方法を示す図である。
【図１】
2009538586.tif 000003
【図２】
2009538586.tif 000004
【図３】
2009538586.tif 000005
【国際調査報告】
2009538586.tif 000006
2009538586.tif 000007